(57)【要約】【課題】情報記録媒体の種類を識別することのできる情報読取装置とその制御方法を提供する。【解決手段】パスポート２Ａの見開き面の一方の面及びＩＤカード２Ｂの全体のいずれか一方が載置されるガラス板３を含む媒体挿入部１６を有し、媒体挿入部１６に挿入された情報記録媒体２から光学的に情報を読み取る情報読取装置１のシステム制御部４０は、ガラス板３の媒体押え機構１２と重なる判定用領域３Ｒ，３Ｌと媒体押え機構１２の間に物体がない状態で判定用領域３Ｒ，３Ｌを撮像素子８により撮像して得られる画像データの特徴を示す予めＲＯＭに記憶された基準情報と、情報記録媒体２が載置された状態で判定用領域３Ｒ，３Ｌを撮像素子８により撮像して得られる画像データの特徴を示す特徴情報との類似度に基づいて、パスポート２ＡとＩＤカード２Ｂのどちらがガラス板３に載置されているかを識別する。【選択図】図１５
2019212194.tif 000002
【特許請求の範囲】
【請求項１】
第一情報記録媒体と前記第一情報記録媒体よりも小さい第二情報記録媒体とを含む情報記録媒体が挿入される媒体挿入部を有し、前記媒体挿入部に挿入された前記情報記録媒体から光学的に情報を読み取る情報読取装置であって、
前記媒体挿入部は、前記第一情報記録媒体及び前記第二情報記録媒体のいずれか一方が載置される載置部と、前記情報記録媒体の前記媒体挿入部への挿入方向と前記第二情報記録媒体の長手方向とが垂直となるように前記第二情報記録媒体が前記載置部に載置された状態にて前記第二情報記録媒体の長手方向の両端部よりも前記長手方向の外側に位置し、且つ前記挿入方向と前記第一情報記録媒体の長手方向とが垂直となるように前記第一情報記録媒体が前記載置部に載置された状態にて、前記第一情報記録媒体と重なるように配置された部材と、を有し、
前記載置部に載置された前記情報記録媒体を撮像する撮像素子と、
前記載置部における前記部材と重なる領域である判定用領域と前記部材の間に物体が存在しない状態にて前記載置部を前記部材側と反対側から前記撮像素子により撮像して前記撮像素子から出力される撮像画像データのうちの前記判定用領域の画像データの特徴を示す基準情報を予め記憶する記憶部と、
前記載置部に前記情報記録媒体が載置された状態にて前記載置部を前記部材側と反対側から前記撮像素子により撮像して前記撮像素子から出力される撮像画像データのうちの前記判定用領域の画像データを取得し、当該画像データの特徴を示す特徴情報と前記基準情報との類似度に基づいて、前記載置部に載置されている前記情報記録媒体が前記第一情報記録媒体と前記第二情報記録媒体のどちらであるかを識別する第一の媒体識別処理を行う媒体識別部と、を備える情報読取装置。
【請求項２】
請求項１記載の情報読取装置であって、
前記媒体識別部は、前記類似度が閾値以上の場合に前記載置部に載置されている前記情報記録媒体が前記第二情報記録媒体であると識別し、前記類似度が前記閾値未満の場合に前記載置部に載置されている前記情報記録媒体が前記第一情報記録媒体であると識別する情報読取装置。
【請求項３】
請求項２記載の情報読取装置であって、
前記媒体識別部によって前記情報記録媒体が前記第二情報記録媒体であると識別された場合に、前記特徴情報に基づいて、前記基準情報を更新する基準情報更新部を更に備える情報読取装置。
【請求項４】
請求項３記載の情報読取装置であって、
前記基準情報更新部は、前記特徴情報と更新前の前記基準情報を前記類似度に応じて重み付け加算することで新しい前記基準情報を生成し、当該基準情報を前記記憶部に記憶することで前記更新を行う情報読取装置。
【請求項５】
請求項１から４のいずれか１項記載の情報読取装置であって、
前記媒体挿入部の内部に配置されたガイド機構を備え、
前記載置部は、前記情報記録媒体の厚み方向から見た状態において前記ガイド機構と重なる重なり領域であって、前記挿入方向の前記媒体挿入部の開口と反対側の端部において前記挿入方向に垂直な方向に沿って延びる第一領域と、前記第一領域の当該方向の両端部から前記載置部における前記挿入方向の前記開口側に向かって延びる一対の第二領域とにより構成された重なり領域と、前記重なり領域によって囲まれた前記ガイド機構と重ならない非重なり領域と、を有し、
前記第一情報記録媒体は、前記ガイド機構と前記載置部との間に挿入され前記ガイド機構によって前記載置部に向けて押さえ付けられて前記載置部の前記重なり領域及び前記非重なり領域に載置され、
前記第二情報記録媒体は、前記載置部の前記非重なり領域に載置され、
前記ガイド機構における前記一対の第二領域の少なくとも一部と重なる部分によって前記部材が構成される情報読取装置。
【請求項６】
請求項１から５のいずれか１項記載の情報読取装置であって、
前記媒体識別部は、前記第一の媒体識別処理と、第二の媒体識別処理とを選択的に行い、
前記第二の媒体識別処理は、前記載置部に前記情報記録媒体が載置された状態にて前記載置部を紫外光以外の光の照射下で前記撮像素子により撮像して得られる撮像画像データに基づいて、前記載置部に載置されている前記情報記録媒体が前記第一情報記録媒体と前記第二情報記録媒体のどちらであるかを識別する処理である情報読取装置。
【請求項７】
請求項６記載の情報読取装置であって、
前記第一情報記録媒体は冊子状であり、
前記第二の媒体識別処理は、紫外光以外の前記光の照射下で前記撮像素子により撮像して得られる前記撮像画像データのうち、前記載置部に前記第一情報記録媒体の見開き面の一方の面が載置された状態にて当該第一情報記録媒体の前記見開き面の境界部側に位置する前記載置部の端部における前記部材よりも内側に設定される識別用領域の画像データを取得し、当該画像データに基づいて、前記識別用領域に物体が重なっているか否かを判定し、当該判定の結果に基づいて、前記載置部に載置されている前記情報記録媒体が前記第一情報記録媒体と前記第二情報記録媒体のどちらであるかを識別する処理である情報読取装置。
【請求項８】
請求項６又は７記載の情報読取装置であって、
前記第二の媒体識別処理によって前記情報記録媒体が前記第二情報記録媒体であると識別された場合に、前記載置部に当該情報記録媒体が載置された状態にて前記載置部を前記部材側と反対側から紫外光の照射下で前記撮像素子により撮像して得られる撮像画像データのうちの前記判定用領域の画像データを取得し、当該画像データの特徴を示す情報に基づいて前記基準情報を更新する情報読取装置。
【請求項９】
第一情報記録媒体と前記第一情報記録媒体よりも小さい第二情報記録媒体とを含む情報記録媒体が挿入される媒体挿入部を有し、前記媒体挿入部に挿入された前記情報記録媒体から光学的に情報を読み取る情報読取装置の制御方法であって、
前記媒体挿入部は、前記第一情報記録媒体及び前記第二情報記録媒体のいずれか一方が載置される載置部と、前記情報記録媒体の前記媒体挿入部への挿入方向と前記第二情報記録媒体の長手方向とが垂直となるように前記第二情報記録媒体が前記載置部に載置された状態にて前記第二情報記録媒体の長手方向の両端部よりも前記長手方向の外側に位置し、且つ前記挿入方向と前記第一情報記録媒体の長手方向とが垂直となるように前記第一情報記録媒体が前記載置部に載置された状態にて、前記第一情報記録媒体と重なるように配置された部材と、を有し、
前記情報読取装置は、前記載置部に載置された前記情報記録媒体を撮像する撮像素子と、前記載置部における前記部材と重なる領域である判定用領域と前記部材の間に物体が存在しない状態にて前記載置部を前記部材側と反対側から前記撮像素子により撮像して前記撮像素子から出力される撮像画像データのうちの前記判定用領域の画像データの特徴を示す基準情報を予め記憶する記憶部と、を有し、
前記載置部に前記情報記録媒体が載置された状態にて前記載置部を前記部材側と反対側から前記撮像素子により撮像して前記撮像素子から出力される撮像画像データのうちの前記判定用領域の画像データを取得し、当該画像データの特徴を示す特徴情報と前記基準情報との類似度に基づいて、前記載置部に載置されている前記情報記録媒体が前記第一情報記録媒体と前記第二情報記録媒体のどちらであるかを識別する情報読取装置の制御方法。
【発明の詳細な説明】
【技術分野】
【０００１】
本発明は、２種類の情報記録媒体に記録された情報を光学的に読み取ることのできる情報読取装置とその制御方法に関する。
【背景技術】
【０００２】
特許文献１には、情報記録媒体に記録された情報を光学的に読み取ることのできる情報読取装置が記載されている。この情報読取装置は、パスポート等の冊子状の情報記録媒体と、ＩＤカード等のカード状の情報記録媒体とのそれぞれから情報を読み取ることができるようになっている。
【先行技術文献】
【特許文献】
【０００３】
【特許文献１】特開２０１８−２６８０４号公報
【発明の概要】
【発明が解決しようとする課題】
【０００４】
特許文献１に記載された情報読取装置のように、形状の異なる複数種類の情報記録媒体から情報を読み取ることのできる装置においては、情報記録媒体の種類毎に、例えば情報の読み取り方法を変えたり、読み取った情報の上位装置への出力方法を変えたりするといった制御の変更が必要になる場合がある。この制御の変更を行うためには、情報記録媒体の種類を識別する必要がある。特許文献１には、情報記録媒体の種類を識別することの必要性やその方法については記載されていない。
【０００５】
本発明は、上記事情に鑑みてなされたものであり、情報の読み取り対象となっている情報記録媒体の種類を簡易に識別することのできる情報読取装置とその制御方法を提供することを目的としている。
【課題を解決するための手段】
【０００６】
本発明の情報読取装置は、第一情報記録媒体と前記第一情報記録媒体よりも小さい第二情報記録媒体とを含む情報記録媒体が挿入される媒体挿入部を有し、前記媒体挿入部に挿入された前記情報記録媒体から光学的に情報を読み取る情報読取装置であって、前記媒体挿入部は、前記第一情報記録媒体及び前記第二情報記録媒体のいずれか一方が載置される載置部と、前記情報記録媒体の前記媒体挿入部への挿入方向と前記第二情報記録媒体の長手方向とが垂直となるように前記第二情報記録媒体が前記載置部に載置された状態にて前記第二情報記録媒体の長手方向の両端部よりも前記長手方向の外側に位置し、且つ前記挿入方向と前記第一情報記録媒体の長手方向とが垂直となるように前記第一情報記録媒体が前記載置部に載置された状態にて、前記第一情報記録媒体と重なるように配置された部材と、を有し、前記載置部に載置された前記情報記録媒体を撮像する撮像素子と、前記載置部における前記部材と重なる領域である判定用領域と前記部材の間に物体が存在しない状態にて前記載置部を前記部材側と反対側から前記撮像素子により撮像して前記撮像素子から出力される撮像画像データのうちの前記判定用領域の画像データの特徴を示す基準情報を予め記憶する記憶部と、前記載置部に前記情報記録媒体が載置された状態にて前記載置部を前記部材側と反対側から前記撮像素子により撮像して前記撮像素子から出力される撮像画像データのうちの前記判定用領域の画像データを取得し、当該画像データの特徴を示す特徴情報と前記基準情報との類似度に基づいて、前記載置部に載置されている前記情報記録媒体が前記第一情報記録媒体と前記第二情報記録媒体のどちらであるかを識別する第一の媒体識別処理を行う媒体識別部と、を備えるものである。
【０００７】
本発明の情報読取装置の制御方法は、第一情報記録媒体と前記第一情報記録媒体よりも小さい第二情報記録媒体とを含む情報記録媒体が挿入される媒体挿入部を有し、前記媒体挿入部に挿入された前記情報記録媒体から光学的に情報を読み取る情報読取装置の制御方法であって、前記媒体挿入部は、前記第一情報記録媒体及び前記第二情報記録媒体のいずれか一方が載置される載置部と、前記情報記録媒体の前記媒体挿入部への挿入方向と前記第二情報記録媒体の長手方向とが垂直となるように前記第二情報記録媒体が前記載置部に載置された状態にて前記第二情報記録媒体の長手方向の両端部よりも前記長手方向の外側に位置し、且つ前記挿入方向と前記第一情報記録媒体の長手方向とが垂直となるように前記第一情報記録媒体が前記載置部に載置された状態にて、前記第一情報記録媒体と重なるように配置された部材と、を有し、前記情報読取装置は、前記載置部に載置された前記情報記録媒体を撮像する撮像素子と、前記載置部における前記部材と重なる領域である判定用領域と前記部材の間に物体が存在しない状態にて前記載置部を前記部材側と反対側から前記撮像素子により撮像して前記撮像素子から出力される撮像画像データのうちの前記判定用領域の画像データの特徴を示す基準情報を予め記憶する記憶部と、を有し、前記載置部に前記情報記録媒体が載置された状態にて前記載置部を前記部材側と反対側から前記撮像素子により撮像して前記撮像素子から出力される撮像画像データのうちの前記判定用領域の画像データを取得し、当該画像データの特徴を示す特徴情報と前記基準情報との類似度に基づいて、前記載置部に載置されている前記情報記録媒体が前記第一情報記録媒体と前記第二情報記録媒体のどちらであるかを識別するものである。
【発明の効果】
【０００８】
本発明によれば、情報の読み取り対象となっている情報記録媒体の種類を簡易に識別することのできる情報読取装置とその制御方法を提供することができる。
【図面の簡単な説明】
【０００９】
【図１】本発明の一実施形態である情報読取装置１の斜視図である。
【図２】図１に示す情報読取装置１のガラス板３、カバー部材１５、及び照明４，５を抜き出して示す斜視図である。
【図３】図２に示すガラス板３、カバー部材１５、及び照明４，５の正面図である。
【図４】図１に示す情報読取装置１の内部の光路を説明するための側面図である。
【図５】図１に示す情報読取装置１のシャッタ機構１４の動作を説明するための側面図である。
【図６】図２に示す媒体押え機構を別の方向から示す斜視図である。
【図７】図２に示す媒体押え機構の正面図である。
【図８】図２に示す媒体押え機構の分解斜視図である。
【図９】図１に示す情報読取装置に情報記録媒体が挿入された状態を説明するための斜視図である。
【図１０】図１に示す情報読取装置に第１の情報記録媒体が挿入されたときの押え部材及び接触部材の動作を説明するための側面図である。
【図１１】図２に示すガラス板３を上下方向且つ上面部１５ａ側から見た平面模式図である。
【図１２】図１に示す情報読取装置１の内部構成を示すブロック図である。
【図１３】図１２に示すシステム制御部４０の機能ブロック図である。
【図１４】基準情報と、ガラス板３にパスポート２Ａが載置された状態に得られる特徴情報の一例を示す図である。
【図１５】図１に示す情報読取装置１の動作を説明するためのフローチャートである。
【図１６】ガラス板３に設定される識別用領域の例を示す図である。
【図１７】第二の変形例の情報読取装置１が第二の媒体識別処理を行うときの動作を説明するためのフローチャートである。
【発明を実施するための形態】
【００１０】
以下、図面を参照しながら、本発明の実施の形態を説明する。
（情報読取装置の概略構成）
図１は、本発明の一実施形態である情報読取装置１の斜視図である。図２は、図１に示す情報読取装置１のガラス板３、カバー部材１５、及び照明４，５を抜き出して示す斜視図である。図３は、図２に示すガラス板３、カバー部材１５、及び照明４，５の正面図である。図４は、図１に示す情報読取装置１の内部の光路を説明するための側面図である。図５は、図１に示す情報読取装置１のシャッタ機構１４の動作を説明するための側面図である。
【００１１】
情報読取装置１は、情報記録媒体２に記録された情報を光学的に読み取る装置である。すなわち、情報読取装置１は、情報記録媒体２に印刷等された文字や図形等を読み取る装置である。この情報読取装置１は、手動式の読取装置であり、情報読取装置１への情報記録媒体２の挿入と情報読取装置１からの情報記録媒体２の抜取りとが手動で行われる。また、情報読取装置１は、比較的小さな卓上型の読取装置である。情報読取装置１で読み取られる情報記録媒体２は、第一情報記録媒体の一例であるパスポート２Ａ（図１参照）と、第二情報記録媒体の一例であるＩＤカード２Ｂ（図３参照）である。パスポート２Ａ及びＩＤカード２Ｂには、所有者の顔写真と生年月日を含む個人情報等が印刷された情報記録面が設けられている。
【００１２】
パスポート２Ａは、複数枚の紙を綴じた冊子であり、図１に示すように、表紙２ｓの裏面である情報記録面２ｓａと、表紙２ｓの隣の頁であって表紙２ｓの情報記録面２ｓａと対面する頁面２ｓｂとによって構成される見開き面のうちの情報記録面２ｓａに記録された情報（顔写真と個人情報等）が情報読取装置１で光学的に読み取られる。
【００１３】
パスポート２Ａの背表紙２ｂには、非接触通信によって情報を読み取ることのできる非接触通信用ＩＣ（Ｉｎｔｅｇｒａｔｅｄ  Ｃｉｒｃｕｉｔ）及び非接触通信用のアンテナが内蔵されている。パスポート２Ａは、例えば国際民間航空機関（ＩＣＡＯ）が公表したガイドラインに沿って作成されたパスポートである。パスポート２Ａの表紙２ｓの情報記録面２ｓａの挿入方向の端部の奥端部分には、文字認識に利用される文字が記録されている。
【００１４】
ＩＤカード２Ｂは、長方形状且つ板状のカード状の媒体である。ＩＤカード２Ｂは、ＩＤカード２Ｂの両面が情報記録面となっており、情報記録面に記録された情報（顔写真と個人情報等）が情報読取装置１で光学的に読み取られる。
【００１５】
パスポート２Ａは、表紙２ｓを開き上記の見開き面が見える状態で情報読取装置１に挿入される。開いた状態で情報読取装置１に挿入されたパスポート２Ａの表紙２ｓの厚さ方向と、情報読取装置１に挿入されたＩＤカード２Ｂの厚さ方向を、それぞれ上下方向という。なお、図４では、説明の便宜上、パスポート２ＡとＩＤカード２Ｂとが一緒に情報読取装置１に挿入されているが、実際には、パスポート２Ａ及びＩＤカード２Ｂのいずれか一方が情報読取装置１に挿入される。パスポート２Ａは、その情報記録面２ｓａが、上下方向から見て、ＩＤカード２Ｂの情報記録面よりも大きい情報記録媒体である。情報読取装置１が読み取り対象とする第一情報記録媒体は、第二情報記録媒体よりも上下方向から見た面積の大きい情報記録面を持つものであればよく、パスポートには限定されるものではない。例えば、第一情報記録媒体が、情報記録面２ｓａと同等の面積の情報記録面を持つカード状の情報記録媒体であってもよい。
【００１６】
以下の説明では、情報読取装置１への情報記録媒体２の挿入方向側（図１等の方向Ｙ２側）を「奥」側または「後ろ」側とし、情報読取装置１からの情報記録媒体２の抜取り方向側（図１等の方向Ｙ１側）を「前」側とする。また、情報読取装置１に対する情報記録媒体２の挿入抜取り方向（図１等の方向Ｙ）を「前後方向」とし、上下方向と前後方向とに直交する方向（図１等の方向Ｘ）を「左右方向」とする。
【００１７】
情報読取装置１は、情報記録媒体２が載置される載置部を構成する透明なガラス板３と、ガラス板３に載置される情報記録媒体２の下面に光を照射する照明４（図２及び図３参照）と、ガラス板３に載置される情報記録媒体２の上面に光を照射する照明５（図２及び図３参照）と、ガラス板３に載置される情報記録媒体２の下面に記録された情報を読み取るための光学系６（図４参照）と、ガラス板３に載置される情報記録媒体２の上面に記録された情報を読み取るための光学系７（図４参照）と、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ又はＣＣＤ（Ｃｈａｒｇｅ  Ｃｏｕｐｌｅｄ  Ｄｅｖｉｃｅ）イメージセンサ等の撮像素子８（図４及び図５参照）と、光学系６を通過した光を撮像素子８に結像させるとともに、光学系７を通過した光を撮像素子８に結像させる結像光学系９（図４及び図５参照）と、これらの構成要素が収容される筐体１０（図１参照）とを備えている。
【００１８】
また、情報読取装置１は、ガラス板３に載置されたパスポート２Ａの左右方向の両端部を上側から押えるための媒体押え機構１２を備えている。媒体押え機構１２はガイド機構を構成する。なお、図１及び図４では、媒体押え機構１２の図示を省略している。
【００１９】
また、情報読取装置１は、光学系６を通過した光の一部を結像光学系９に向かって透過させるとともに光学系７を通過した光の一部を結像光学系９に向かって反射するビームスプリッタ１３（図４参照）と、ガラス板３に載置される情報記録媒体２の下面に記録された情報を読み取るときに光学系７からビームスプリッタ１３に入射する光を遮り、且つ、ガラス板３に載置される情報記録媒体２の上面に記録された情報を読み取るときに光学系６からビームスプリッタ１３に入射する光を遮るシャッタ機構１４（図５参照）とを備えている。ビームスプリッタ１３及びシャッタ機構１４は、筐体１０に収容されている。
【００２０】
さらに、情報読取装置１は、図２及び図３に示すように、ガラス板３に載置される情報記録媒体２よりも上側に配置される上面部１５ａと、上面部１５ａの左右の両端側に繋がる２個の側面部１５ｂと、上面部１５ａの奥端側に繋がる奥面部１５ｃとを有するカバー部材１５を備えている。カバー部材１５は、例えば、透明なアクリル樹脂で形成されている。奥面部１５ｃには、例えば、遮光性の塗料が塗布されており、光を遮断する遮光部を構成している。一方、上面部１５ａ及び側面部１５ｂは、透明になっている。
【００２１】
上面部１５ａは、長方形の平板状に形成されており、上面部１５ａの厚さ方向と上下方向とが一致するように配置されている。また、上面部１５ａは、上面部１５ａの端面が前後方向または左右方向と平行になるように配置されている。側面部１５ｂは、長方形の平板状に形成されており、側面部１５ｂの厚さ方向と左右方向とが一致するように配置されている。奥面部１５ｃは、長方形の平板状に形成されており、奥面部１５ｃの厚さ方向と前後方向とが一致するように配置されている。奥面部１５ｃの左右方向の両端は、側面部１５ｂの奥端に繋がっている。
【００２２】
ガラス板３は、長方形の平板状に形成されており、ガラス板３の厚さ方向と上下方向とが一致するように配置されている。また、ガラス板３は、ガラス板３の端面が前後方向又は左右方向と平行になるように配置されている。２つの側面部１５ｂの各々の下端及び奥面部１５ｃの下端は、ガラス板３の上面に接触している。ガラス板３とカバー部材１５とによって、前面が開口するとともに情報記録媒体２の少なくとも一部が載置される箱状の媒体挿入部１６が形成されている。図１に示すように、媒体挿入部１６の、前面の開口以外の部分は、筐体１０によって覆われている。
【００２３】
筐体１０におけるガラス板３よりも前側には、図１に示すように、パスポート２Ａに内蔵される非接触通信用のアンテナと通信を行うためのアンテナ１７を内蔵する傾斜面１７ａが形成されている。傾斜面１７ａは、ガラス板３に対し下方向に向かって傾斜している。また、情報読取装置１は、図１に示すようにカメラ１８を備えている。カメラ１８は、媒体挿入部１６よりも上側に配置されている。カメラ１８の光軸は、前側に向かうにしたがって上側に向かうように傾斜している。カメラ１８は、たとえば、情報記録媒体２の読取操作を行う者の顔を撮影する。
【００２４】
（照明の構成及び配置）
図３に示すように、照明４，５は、複数の光源が実装される基板２４と、光源から射出された光が入射する照明レンズ２５とを備えている。照明４，５は、光源として、白色光を射出する複数の白色ＬＥＤと、赤外光を射出する複数の赤外線ＬＥＤと、紫外光を射出する複数の紫外線ＬＥＤとを備えている。基板２４は、細長い長方形の平板状に形成されている。照明レンズ２５は、細長い略直方体状に形成されている。この照明レンズ２５は、基板２４の、光源が実装された面に固定されている。
【００２５】
照明レンズ２５には、白色ＬＥＤが射出する白色光と赤外線ＬＥＤが射出する赤外光と紫外線ＬＥＤが射出する紫外光とが入射し、照明レンズ２５を透過した光が情報記録媒体２に照射される。なお、照明４，５から照射される赤外光は、ＯＣＲ文字等の機械読取式の印刷情報の読取りに主に用いられる。また、照明４，５から照射される紫外光は、情報記録媒体２の真偽判定に必要な印刷情報（目に見えない蛍光発色インクによる印刷情報）の読取りに主に用いられる。
【００２６】
図３に示すように、照明４は、ガラス板３よりも下側に配置されている。また、情報読取装置１は、２個の照明４を備えており、照明４は、左右方向におけるガラス板３の両外側のそれぞれに配置されている。照明４は、ガラス板３に載置される情報記録媒体２に向かって左右方向の外側から、かつ、斜め下側から光を照射する。また、照明４から射出されガラス板３を透過した光が、ガラス板３に載置される情報記録媒体２の下面に照射される。
【００２７】
照明５は、ガラス板３に載置される情報記録媒体２よりも上側に配置されている。また、情報読取装置１は、２個の照明５を備えており、照明５は、左右方向における媒体挿入部１６の両外側のそれぞれに配置されている。すなわち、２個の照明５のうちの一方の照明５は、右側に配置される側面部１５ｂの右側に配置され、２個の照明５のうちの他方の照明５は、左側に配置される側面部１５ｂの左側に配置されている。照明５は、ガラス板３に載置される情報記録媒体２に向かって左右方向の外側から、かつ、斜め上側から光を照射する。また、照明５から射出され側面部１５ｂを透過した光が、ガラス板３に載置される情報記録媒体２の上面に照射される。
【００２８】
（光学系、結像光学系、ビームスプリッタ、撮像素子の構成及び配置）
図４に示すように、光学系６は、長方形の平板状に形成された３個の反射ミラー（全反射ミラー）３０、３１、３２を備えている。反射ミラー３０は、反射ミラー３１よりも大きくなっており、反射ミラー３１は、反射ミラー３２よりも大きくなっている。反射ミラー３０、３１は、ガラス板３よりも下側に配置されている。具体的には、反射ミラー３０は、ガラス板３に載置されるパスポート２Ａの下側に配置されている。また、反射ミラー３１は、反射ミラー３０と略同じ高さに配置されるとともに、反射ミラー３０よりも後ろ側に配置されている。反射ミラー３２は、媒体挿入部１６の後ろ側に配置されている。また、反射ミラー３２は、反射ミラー３１の上側に配置されている。
【００２９】
反射ミラー３０〜３２は、上下方向に対して所定の角度傾いた状態で配置されている。
具体的には、反射ミラー３０〜３２は、左右方向から見たときに上下方向に対して所定の角度傾いた状態で配置されている。反射ミラー３０は、後ろ側に向かうにしたがって下側に向かうように傾斜し、反射ミラー３１、３２は、後ろ側に向かうにしたがって上側に向かうように傾斜している。反射ミラー３０〜３２の上下方向に対する傾斜角度は、略４５°となっている。
【００３０】
反射ミラー３０には、ガラス板３に載置された情報記録媒体２の下面で反射された光が入射する。反射ミラー３１には、反射ミラー３０で反射された光が入射し、反射ミラー３２には、反射ミラー３１で反射された光が入射する。反射ミラー３０では、情報記録媒体２の下面で反射されて下側へ向かう光の光軸が後ろ側に折り曲げられる。また、反射ミラー３１では、反射ミラー３０で反射されて後ろ側へ向かう光の光軸が上側に折り曲げられ、反射ミラー３２では、反射ミラー３１で反射されて上側に向かう光の光軸が後ろ側に折り曲げられる。
【００３１】
図４に示すように、光学系７は、長方形の平板状に形成された２個の反射ミラー（全反射ミラー）３３、３４を備えている。反射ミラー３３は、反射ミラー３４よりも大きくなっている。反射ミラー３３，３４は、ガラス板３に載置される情報記録媒体２よりも上側に配置されている。具体的には、反射ミラー３３は、ガラス板３に載置されるＩＤカード２Ｂの上側に配置されている。また、反射ミラー３４は、反射ミラー３３と略同じ高さに配置されるとともに、ガラス板３よりも後ろ側（すなわち、媒体挿入部１６よりも後ろ側）に配置されている。また、反射ミラー３３，３４は、カバー部材１５の上面部１５ａよりも上側（すなわち、媒体挿入部１６よりも上側）に配置されている。
【００３２】
反射ミラー３３，３４は、上下方向に対して所定の角度傾いた状態で配置されている。具体的には、図４に示すように、反射ミラー３３，３４は、左右方向から見たときに上下方向に対して所定の角度傾いた状態で配置されている。反射ミラー３３は、後ろ側に向かうにしたがって上側に向かうように傾斜し、反射ミラー３４は、後ろ側に向かうにしたがって下側に向かうように傾斜している。反射ミラー３３，３４の上下方向に対する傾斜角度は、略４５°となっている。
【００３３】
反射ミラー３３には、ガラス板３に載置された情報記録媒体２の上面で反射された光が入射する。反射ミラー３４には、反射ミラー３３で反射された光が入射する。反射ミラー３３では、情報記録媒体２の上面で反射されて上側へ向かう光の光軸が後ろ側に折り曲げられ、反射ミラー３４では、反射ミラー３３で反射されて後ろ側へ向かう光の光軸が下側に折り曲げられる。
【００３４】
結像光学系９は、結像レンズ３５を備えている。結像レンズ３５は、反射ミラー３２の後ろ側に配置されている。また、結像レンズ３５は、反射ミラー３４よりも後ろ側に配置されている。撮像素子８は、結像レンズ３５の後ろ側に配置されている。撮像素子８は、撮像面が前側を向くように配置されている。
【００３５】
ビームスプリッタ１３は、長方形の平板状に形成されている。ビームスプリッタ１３は、光の透過率と反射率とが等しいハーフミラーである。ビームスプリッタ１３は、前後方向において、反射ミラー３２と結像レンズ３５との間に配置されている。すなわち、ビームスプリッタ１３は、反射ミラー３２の後ろ側であって、且つ、結像レンズ３５の前側に配置されている。また、ビームスプリッタ１３は、反射ミラー３４の下側に配置されている。
【００３６】
ビームスプリッタ１３は、上下方向に対して所定の角度傾いた状態で配置されている。具体的には、図４に示すように、ビームスプリッタ１３は、左右方向から見たときに上下方向に対して所定の角度傾いた状態で配置されている。ビームスプリッタ１３は、後ろ側に向かうにしたがって下側に向かうように傾斜している。ビームスプリッタ１３の上下方向に対する傾斜角度は、略４５°となっている。ビームスプリッタ１３は、反射ミラー３２で反射された光の半分を結像レンズ３５に向かって透過させるとともに、反射ミラー３４で反射された光の半分を結像レンズ３５に向かって反射する。
【００３７】
ガラス板３に載置された情報記録媒体２の下面で反射された光の、撮像素子８までの光路長と、ガラス板３に載置された情報記録媒体２の上面で反射された光の、撮像素子８までの光路長とは、略等しくなっている。図４に示すように、撮像素子８が光学系６を介して行う撮像の撮像範囲はガラス板３の全体とされ、撮像素子８が光学系７を介して行う撮像の撮像範囲はガラス板３の一部とされている。
【００３８】
（シャッタ機構の構成）
図５に示すように、シャッタ機構１４は、光学系６の反射ミラー３２とビームスプリッタ１３との間の光路を遮る第１遮光位置３７Ａ（図５（Ｂ）参照）と、光学系７の反射ミラー３４とビームスプリッタ１３との間の光路を遮る第２遮光位置３７Ｂ（図５（Ａ）参照）との間で移動可能なシャッタ３７を備えている。シャッタ３７は、反射ミラー３２、３４とビームスプリッタ１３との間の光路を遮る遮光部３７ａを備えている。
【００３９】
また、シャッタ機構１４は、第１遮光位置３７Ａと第２遮光位置３７Ｂとの間でシャッタ３７を移動させるシャッタ駆動機構を備えている。このシャッタ駆動機構は、シャッタ３７が固定されるレバー部材３９、及び、レバー部材３９を回動させるソレノイド（図示省略）等を備える。レバー部材３９は、左右方向を回動の軸方向として回動可能となっている。
【００４０】
シャッタ機構１４のシャッタ３７が駆動されることで、シャッタ３７が第２遮光位置３７Ｂ（図５（Ａ）参照）にある状態では、撮像素子８がガラス板３を下面側から撮像し、シャッタ３７が第１遮光位置３７Ａ（図５（Ｂ）参照）にある状態では、撮像素子８がガラス板３を上面側から撮像するようになっている。
（媒体押え機構の構成）
図６は、図２に示す媒体押え機構１２を別の方向から示す斜視図である。図７は、図２に示す媒体押え機構１２の正面図である。図８は、図２に示す媒体押え機構１２の分解斜視図である。図９は、図１に示す情報読取装置１に情報記録媒体２が挿入された状態を説明するための斜視図である。図１０は、図１に示す情報読取装置１にパスポート２Ａが挿入されたときの押え部材４１及び接触部材４２の動作を説明するための側面図である。
【００４１】
媒体押え機構１２は、媒体挿入部１６の内部に配置されている。この媒体押え機構１２は、パスポート２Ａの左右方向の両端部を上側から押える２個の押え部４１ａを有する押え部材４１と、ＩＤカード２Ｂの後端（奥端）が接触する接触部４２ａを有する接触部材４２と、押え部材４１及び接触部材４２を保持する保持部材４３とを備えている。また、媒体押え機構１２は、保持部材４３に対して押え部材４１を下側に付勢する付勢部材としての圧縮コイルバネ４４、４５を備えている。媒体押え機構１２は、２個の圧縮コイルバネ４４と２個の圧縮コイルバネ４５との合計４個の圧縮コイルバネ４４、４５を備えている。
【００４２】
保持部材４３は、樹脂で形成されている。保持部材４３は、媒体押え機構１２の上面を構成する上面部４３ａと、媒体押え機構１２の後面を構成する後面部４３ｂと、媒体押え機構１２の後端側の左右の側面を構成する側面部４３ｃとを備えている。上面部４３ａは、左右方向の長さが長い略長方形の平板状に形成される基部４３ｄと、基部４３ｄの左右の両端側から前側に向かって突出する２個の突出部４３ｅとから構成されている。基部４３ｄは、基部４３ｄの厚さ方向と上下方向とが一致するように配置されている。突出部４３ｅは、前後方向の長さが長い略長方形の平板状に形成されており、突出部４３ｅの厚さ方向と上下方向とが一致するように配置されている。
【００４３】
後面部４３ｂは、左右方向の長さが長い略長方形の平板状に形成されており、後面部４３ｂの厚さ方向と前後方向とが一致するように配置されている。後面部４３ｂの上端は、基部４３ｄの後端に繋がっている。側面部４３ｃは、略長方形の平板状に形成されており、側面部４３ｃの厚さ方向と左右方向とが一致するように配置されている。側面部４３ｃの上端は、基部４３ｄの左右の両端のそれぞれに繋がり、側面部４３ｃの後端は、後面部４３ｂの左右の両端のそれぞれに繋がっている。
【００４４】
上面部４３ａの上面には、上側に向かって突出する２個の突起４３ｆと２個の突起４３ｇとが形成されている。突起４３ｆは、２個の突出部４３ｅのそれぞれの前端側部分に形成されている。突起４３ｇは、基部４３ｄの左右方向の両端側のそれぞれに形成されている。突起４３ｆの上面は、上下方向に直交する平面となっている。突起４３ｇは、半球状に形成されている。突起４３ｆの上面及び突起４３ｇの上端は、カバー部材１５の上面部１５ａの下面に接触している。すなわち、保持部材４３は、上面部１５ａの下面に接触している。
【００４５】
突出部４３ｅの前端側には、下側に向かって突出する円柱状のバネ保持部４３ｈが形成されている。バネ保持部４３ｈは、圧縮コイルバネ４４の内周側に挿入されている。基部４３ｄには、圧縮コイルバネ４５の内周側に挿入される軸部４７ａが形成されるバネ保持部材４７が固定されている。バネ保持部材４７は、軸部４７ａが基部４３ｄから下側へ突出するように、基部４３ｄの上面側に固定されている。バネ保持部材４７には、２個の軸部４７ａが形成されている。
【００４６】
側面部４３ｃには、保持部材４３に対して押え部材４１を上下方向へ案内するためのガイド溝４３ｊが形成されている。ガイド溝４３ｊは、左右方向で側面部４３ｃを貫通しており、上下方向を長手方向とする長穴状に形成されている。また、側面部４３ｃには、押え部材４１に形成される後述のガイドピン４１ｇをガイド溝４３ｊに嵌めるための切欠き部４３ｋが形成されている。切欠き部４３ｋは、ガイド溝４３ｊの上端部と側面部４３ｃの前端面との間に形成されている。
【００４７】
また、側面部４３ｃには、接触部材４２に形成される後述のピン４２ｄを保持する凹部（図示省略）が形成されている。この凹部は、左右方向における側面部４３ｃの内側面から左右方向の外側に向かって窪むように形成されている。左右方向から見たときのこの凹部の形状は、円形状となっている。この凹部は、ガイド溝４３ｊよりも後ろ側に配置されている。また、この凹部は、ガイド溝４３ｊの下端よりも下側に配置されている。
【００４８】
押え部材４１は、樹脂で形成されている。押え部材４１は、上述のように、２個の押え部４１ａを備えている。押え部４１ａは、前後方向の長さが長い直線状に形成されている。すなわち、押え部４１ａは、前後方向に平行な直線状に形成されている。具体的には、押え部４１ａは、前後方向の長さが長い板状に形成されている。また、押え部材４１は、２個の押え部４１ａのそれぞれの前端に繋がるガイド部４１ｂと、２個の押え部４１ａの後端部（奥端部）を繋ぐ接続部４１ｃとを備えている。接続部４１ｃは、押え部４１ａの後端部の上側同士を繋いでいる。
【００４９】
押え部４１ａの下面は、上下方向に直交する平面となっている。ただし、押え部４１ａの下面には、上側に向かって窪む肉盗み部４１ｄが形成されている（図６参照）。押え部４１ａの上面４１ｅは、左右方向の内側に向かうにしたがって下側に向かうように傾斜する傾斜面となっている。すなわち、右側に配置される押え部４１ａの上面４１ｅは、左側に向かうにしたがって下側に向かうように傾斜する傾斜面となっており、左側に配置される押え部４１ａの上面４１ｅは、右側に向かうにしたがって下側に向かうように傾斜する傾斜面となっている。
【００５０】
押え部４１ａは、ガラス板３に載置されたパスポート２Ａの左右方向の両端部（具体的には、パスポート２Ａの表紙の左右方向の両端部）のそれぞれのほぼ全体に上側から接触してパスポート２Ａの左右方向の両端部のほぼ全体を上側から押える機能を果たしている。すなわち、押え部４１ａは、パスポート２Ａの左右方向の両端部の奥端部分にも上側から接触してパスポート２Ａの左右方向の両端部の奥端部分も上側から押えている。
【００５１】
そのため、２個の押え部４１ａの左右方向の間隔は、パスポート２Ａの左右方向の幅よりも狭くなっている（図９（Ａ）参照）。一方、２個の押え部４１ａの左右方向の間隔は、ＩＤカード２Ｂの左右方向の幅よりも広くなっている（図３（Ｂ）、図９（Ｂ）参照）。すなわち、ガラス板３に載置されたＩＤカード２Ｂの左右方向の幅は、２個の押え部４１ａの左右方向の間隔よりも狭くなっている。
【００５２】
押え部４１ａの後端部には、接触部材４２に下側から接触して接触部４２ａを押し上げる押上部４１ｆが形成されている。すなわち、押え部材４１の左右方向の両端側のそれぞれには、押上部４１ｆが形成されている。押上部４１ｆは、接続部４１ｃの下側に配置されている。押上部４１ｆの上面は、左右方向から見たときの形状が円弧となる凸曲面状に形成されている。
【００５３】
ガイド部４１ｂの左右方向の幅は、押え部４１ａの左右方向の幅と等しくなっている。ガイド部４１ｂの下面は、左右方向から見たときの形状が円弧となる凸曲面状に形成されている。また、ガイド部４１ｂの下面は、前側に向かうにしたがって上側へ向かうように傾斜している。ガイド部４１ｂの左右方向の内側面は、上下方向から見たときの形状が円弧となる凹曲面状に形成されている。また、ガイド部４１ｂの左右方向の内側面は、前側に向かうにしたがって左右方向の外側に広がっている。ガイド部４１ｂは、情報読取装置１に挿入されるパスポート２Ａを押え部４１ａの下側に案内する機能を果たしている。また、ガイド部４１ｂは、情報読取装置１に挿入されるＩＤカード２Ｂを２個の押え部４１ａの間に案内する機能を果たしている。
【００５４】
ガイド部４１ｂの後端部及び押え部４１ａは、保持部材４３の突出部４３ｅの下側に配置されている。接続部４１ｃは、保持部材４３の基部４３ｄの下側に配置されている。圧縮コイルバネ４４の下端は、ガイド部４１ｂの後端部の上面に接触し、圧縮コイルバネ４５の下端は、接続部４１ｃの上面に接触している。すなわち、押え部材４１は、圧縮コイルバネ４４、４５によって保持部材４３に対して下側に付勢されており、保持部材４３に対して上下動可能となっている。情報読取装置１にパスポート２Ａが挿入されていないときには、圧縮コイルバネ４４、４５の付勢力によって、押え部４１ａの下面は、ガラス板３の上面に接触している。すなわち、情報読取装置１にパスポート２Ａが挿入されていないときには、押え部材４１は、ガラス板３の上面に接触している。
【００５５】
接続部４１ｃの左右の両側面のそれぞれには、左右方向の外側に突出するガイドピン４１ｇが形成されている。ガイドピン４１ｇは、円柱状に形成されている。ガイドピン４１ｇは、左右方向において押上部４１ｆよりも外側に配置されている。また、左右方向から見たときに、ガイドピン４１ｇは、押上部４１ｆの真上に配置されている。すなわち、左右方向から見たときに、押上部４１ｆは、ガイドピン４１ｇの真下に配置されている。
【００５６】
ガイドピン４１ｇは、保持部材４３のガイド溝４３ｊに係合している。具体的には、２本のガイドピン４１ｇのそれぞれは、左右方向の内側から２個のガイド溝４３ｊのそれぞれに係合している。押え部材４１は、ガイドピン４１ｇとガイド溝４３ｊとによって、保持部材４３に対して上下方向に案内される。また、押え部材４１は、ガイドピン４１ｇを中心にして、かつ、左右方向を回動の軸方向として保持部材４３に対して回動可能となっている。
【００５７】
上下方向において、押え部４１ａと突出部４３ｅとの間には、隙間が形成されている。上下方向における押え部４１ａと突出部４３ｅとの間は、照明５から射出された光が通過する光通過部４８となっている。すなわち、押え部４１ａの上側であって、かつ、突出部４３ｅの下側は、照明５から射出され側面部１５ｂを透過した光が、ガラス板３に載置される情報記録媒体２の上面に向かって通過する光通過部４８となっている。
【００５８】
接触部材４２は、樹脂で形成されている。また、接触部材４２は、押え部材４１と別体で形成されており、押え部材４１の接続部４１ｃの下側に配置されている。接触部材４２は、上述のように、接触部４２ａを備えている。また、接触部材４２は、接触部４２ａを支持する支持部４２ｂを備えている。接触部４２ａは、左右方向の長さが長い平板状に形成されており、接触部４２ａの厚さ方向と前後方向とが略一致するように配置されている。支持部４２ｂは、左右方向の長さが長い略平板状に形成されており、支持部４２ｂの厚さ方向と上下方向とが略一致するように配置されている。接触部４２ａは、支持部４２ｂの前端に繋がっている。また、接触部４２ａは、支持部４２ｂの前端から下側へ伸びている。
【００５９】
接触部４２ａの左右方向の幅は、２個の押え部４１ａの左右方向の間隔よりも狭くなっている。また、接触部４２ａは、前後方向から見たときに２個の押え部４１ａの間に配置されている。接触部４２ａの下面の左右方向における中央部分には、図７に示すように、上側に窪む凹部４２ｃが形成されている。凹部４２ｃは、前後方向から見たときの形状が円弧となる凹曲面状に形成されている。凹部４２ｃの左右方向の幅Ｈは、ＩＤカード２Ｂの左右方向の幅（具体的には、ガラス板３に載置されたＩＤカード２Ｂの左右方向の幅）よりも狭くなっている。凹部４２ｃの左右方向の外側は、上下方向に略直交する平面となっている。すなわち、接触部４２ａの下端面は、上下方向に略直交する平面となっている。
【００６０】
支持部４２ｂの左右の両端面には、左右方向の外側に突出するピン４２ｄが形成されている。ピン４２ｄは、支持部４２ｂの後端部に形成されている。また、ピン４２ｄは、円柱状に形成されている。ピン４２ｄは、上述した保持部材４３の凹部に係合している。具体的には、２本のピン４２ｄのそれぞれは、左右方向の内側から２個の凹部のそれぞれに挿入されている。接触部材４２は、ピン４２ｄを中心にして、かつ、左右方向を回動の軸方向として保持部材４３に対して回動可能となっている。すなわち、接触部材４２は、左右方向を回動の軸方向とする回動が可能となるように保持部材４３に保持されている。
【００６１】
支持部４２ｂの左右方向の両端側のそれぞれには、押え部材４１の押上部４１ｆが下側から接触している。押上部４１ｆは、ピン４２ｄよりも前側に配置されている。すなわち、保持部材４３に対する接触部材４２の回動中心は、押上部４１ｆよりも後ろ側（奥側）に配置されている。また、押上部４１ｆは、接触部４２ａよりも後ろ側（奥側）に配置されている。
【００６２】
情報読取装置１に情報記録媒体２が挿入されていない状態では、接触部４２ａの下端面は、上下方向に直交する平面となっており、ガラス板３の上面に接触している。また、この状態では、接触部４２ａの前面は、前後方向に直交する平面となっている。また、この状態では、接触部４２ａの前面は、押え部材４１の接続部４１ｃの前端よりもわずかに前側に配置されている。ガラス板３の前端面と接触部４２ａの前面との距離（前後方向の距離）は、ガラス板３に載置されるパスポート２Ａの表紙の前後方向の幅よりも短くなっている（図９（Ａ）参照）。また、ガラス板３の前端面と接触部４２ａの前面との距離は、ガラス板３に載置されるＩＤカード２Ｂの前後方向の幅よりも長くなっている（図９（Ｂ）参照）。
【００６３】
情報読取装置１にパスポート２Ａが挿入され始めると、パスポート２Ａが押え部材４１の押え部４１ａの下側に入り込んで押え部４１ａの前端側が持ち上がる（図１０（Ａ）参照）。すなわち、情報読取装置１にパスポート２Ａが挿入され始めると、押え部材４１の前端側が持ち上がる。また、パスポート２Ａが情報読取装置１の所定の位置まで入り込むと、図１０（Ｂ）に示すように、押上部４１ｆが持ち上がる。そのため、情報読取装置１にパスポート２Ａが挿入されて所定位置まで入り込むと、支持部４２ｂが押上部４１ｆに押し上げられて、接触部材４２がピン４２ｄを中心にして回動する。具体的には、図１０（Ｂ）に示すように、図１０の時計回りの方向に接触部材４２が回動して、接触部４２ａが持ち上がる。
【００６４】
上述のように、保持部材４３に対する接触部材４２の回動中心よりも押上部４１ｆが前側に配置され、かつ、接触部４２ａが押上部４１ｆよりも前側に配置されているため、接触部４２ａが持ち上がったときの接触部４２ａの上昇量は、パスポート２Ａによって持ち上げられる押上部４１ｆの上昇量よりも大きくなっている。すなわち、情報読取装置１にパスポート２Ａが挿入されたときの接触部４２ａの上昇量は、パスポート２Ａによって持ち上げられる押え部４１ａの上昇量よりも大きくなっており、パスポート２Ａの表紙の厚さよりも大きくなっている。本形態では、情報読取装置１にパスポート２Ａが挿入されたときの接触部４２ａの上昇量は、押え部４１ａの上昇量の約３倍となっている。そのため、情報読取装置１にパスポート２Ａが挿入されると、パスポート２Ａの奥端（表紙２ｓの奥端）は、接触部４２ａの下側を通過して、接触部４２ａよりも奥側に入り込む。
【００６５】
このように、パスポート２Ａが情報読取装置１に挿入されると、押え部４１ａがパスポート２Ａによって持ち上げられてパスポート２Ａの左右方向の両端部を上側から押えるとともに、接触部４２ａが持ち上げられて、パスポート２Ａの奥端が接触部４２ａの下側を通過する。また、パスポート２Ａが情報読取装置１に挿入されると、押え部４１ａの上昇動作に連動して、接触部４２ａが持ち上げられる。具体的には、パスポート２Ａが情報読取装置１に挿入されると、接触部材４２が押え部材４１によって上側に押されて接触部４２ａが持ち上げられる。
【００６６】
一方、上述のように、ガラス板３に載置されるＩＤカード２Ｂの左右方向の幅は、２個の押え部４１ａの左右方向の間隔よりも狭くなっている。そのため、情報読取装置１にＩＤカード２Ｂが挿入されても、押え部４１ａが持ち上がらず（すなわち、押え部材４１が持ち上がらず）、押上部４１ｆは持ち上がらない。したがって、情報読取装置１にＩＤカード２Ｂが挿入されても、接触部４２ａは持ち上がらない。そのため、情報読取装置１にＩＤカード２Ｂが挿入されると、接触部４２ａにＩＤカード２Ｂの奥端が接触する（図３（Ｂ）、図９（Ｂ）参照）。具体的には、接触部４２ａの前面にＩＤカード２Ｂの奥端が接触する。
【００６７】
（ガラス板に設定される領域の説明）
図１１は、図２に示すガラス板３を上下方向且つ上面部１５ａ側から見た平面模式図である。図１１に示すように、ガラス板３には、媒体押え機構１２と重なる略Ｃ字状の重なり領域３ａ（ハッチングを付した領域）と、重なり領域３ａによって囲まれた媒体押え機構１２と重ならない非重なり領域３ｂと、が含まれる。
【００６８】
重なり領域３ａは、ガラス板３の前後方向の奥側の端部３Ｅｙにおいて左右方向に沿って延びる直線状且つ略矩形状の第一領域ＡＲ１と、第一領域ＡＲ１の左右方向の両方の端部３Ｅｘａ，３Ｅｘｂの各々から前後方向の前側に向かって延びる直線状且つ略矩形状の一対の第二領域ＡＲ２，ＡＲ３とにより構成された略Ｃ字状の領域である。非重なり領域３ｂは、重なり領域３ａによって囲まれる矩形の領域である。ＩＤカード２Ｂは、この非重なり領域３ｂの奥側に載置された状態にて情報の読み取りが行われる。パスポート２Ａは、重なり領域３ａ及び非重なり領域３ｂに載置された状態にて情報の読み取りが行われる。
【００６９】
情報読取装置１の撮像素子８の撮像範囲は、光学系６を介してガラス板３を撮像する場合には、図１１に示す重なり領域３ａ及び非重なり領域３ｂを合わせた範囲となり、光学系７を介してガラス板３を撮像する場合には図１１に示す非重なり領域３ｂとなる。撮像素子８によってガラス板３を撮像して撮像素子８から出力される撮像画像データは、前後方向の奥側の端部が、表示する際の上端として取り扱われ、前後方向の前側の端部が、表示する際の下端として取り扱われる。
【００７０】
図１１（Ｂ）に示すように、重なり領域３ａの第二領域ＡＲ２には判定用領域３Ｌが設定されている。判定用領域３Ｌは、図１１の例では前後方向に沿って延びる直線状且つ矩形状の領域である。また、重なり領域３ａの第二領域ＡＲ３には、判定用領域３Ｒが設定されている。判定用領域３Ｒは、図１１（Ｂ）の例では前後方向に沿って延びる直線状且つ矩形の領域である。図１１（Ｂ）の例では、判定用領域３Ｒと判定用領域３Ｌは前後方向における位置及び長さが同じであり且つ同じ形状とされている。なお、判定用領域３Ｒ及び判定用領域３Ｌの前後方向の長さは、第二領域ＡＲ２及び第二領域ＡＲ３の前後方向の長さより短くなっていてもよい。また、判定用領域３Ｒ及び判定用領域３Ｌの左右方向の長さは、第二領域ＡＲ２及び第二領域ＡＲ３の左右方向の長さより短くなっていてもよい。
【００７１】
媒体押え機構１２のうちの判定用領域３Ｒ及び判定用領域３Ｌと重なる部分は、前後方向とＩＤカード２Ｂの長手方向が垂直となるようにＩＤカード２Ｂがガラス板３の非重なり領域３ｂに載置された図９（Ｂ）に示す状態にて、ＩＤカード２Ｂの長手方向の両端部よりも該長手方向の外側に位置し、且つ前後方向にパスポート２Ａの長手方向が垂直となるようにパスポート２Ａがガラス板３に載置された図９（Ａ）に示す状態にて、パスポート２Ａと重なる（パスポート２Ａの上方に位置する）ように配置された部材を構成する。
【００７２】
（情報読取装置の内部ブロック構成）
図１２は、図１に示す情報読取装置１の内部構成を示すブロック図である。情報読取装置１は、上述してきた構成要素（カメラ１８、照明４，５、撮像素子８、及びシャッタ機構１４等）に加えて、照明４を駆動するドライバ４ｄと、照明５を駆動するドライバ５ｄと、撮像素子８を駆動するドライバ８ｄと、シャッタ機構１４のレバー部材３９を回動させるソレノイドを駆動するドライバ１４ｄと、全体を統括制御するシステム制御部４０と、を更に備える。
【００７３】
システム制御部４０は、プログラムを実行して処理を行う各種のプロセッサと、ＲＡＭ（Ｒａｍｄｏｍ  Ａｃｃｅｓｓ  Ｍｅｍｏｒｙ）と、ＲＯＭ（Ｒｅａｄ  Ｏｎｌｙ  Ｍｅｍｏｒｙ）と、を含む。各種のプロセッサとしては、プログラムを実行して各種処理を行う汎用的なプロセッサであるＣＰＵ（Ｃｅｎｔｒａｌ  Ｐｒｏｓｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等の製造後に回路構成を変更可能なプロセッサであるプログラマブルロジックデバイス（Ｐｒｏｇｒａｍｍａｂｌｅ  Ｌｏｇｉｃ  Ｄｅｖｉｃｅ：ＰＬＤ）、又はＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等の特定の処理を実行させるために専用に設計された回路構成を有するプロセッサである専用電気回路等が含まれる。これら各種のプロセッサの構造は、より具体的には、半導体素子等の回路素子を組み合わせた電気回路である。システム制御部４０は、各種のプロセッサのうちの１つで構成されてもよいし、同種又は異種の２つ以上のプロセッサの組み合わせ（例えば、複数のＦＰＧＡの組み合わせ又はＣＰＵとＦＰＧＡの組み合わせ）で構成されてもよい。
【００７４】
システム制御部４０のＲＯＭには、情報記録媒体２の種別を識別するために用いられる基準情報が予め記憶されている。このＲＯＭは記憶部を構成する。基準情報とは、図１１の判定用領域３Ｒ，３Ｌと媒体押え機構１２の間に物体が存在しない状態（つまり、情報記録媒体２が媒体挿入部１６に挿入されていない状態）にて、ガラス板３を上下方向の媒体押え機構１２側と反対側（ガラス板３の下面側）から紫外光下で撮像素子８により撮像して撮像素子８から出力される撮像画像データのうちの判定用領域３Ｒ，３Ｌの画像データ（媒体押え機構１２の一部が被写体として含まれる画像データ）の特徴を示す情報である。
【００７５】
判定用領域３Ｒ，３Ｌの画像データの特徴を示す情報とは、例えば、この画像データに対して方向Ｙに射影処理を行って得られる射影データである。この画像データは、方向Ｙに並ぶ複数の画素データからなる画素ラインが方向Ｘに複数配列された構成である。この射影処理は、具体的には、判定用領域３Ｒを撮像して得られる画像データを構成する画素ライン毎に、その画素ラインに含まれる全ての画素データの平均濃度を算出し、判定用領域３Ｌを撮像して得られる画像データを構成する画素ライン毎に、その画素ラインに含まれる全ての画素データの平均濃度を算出する処理である。射影データは、こうして算出した平均濃度のデータが方向Ｘに多数並ぶデータ群となる。射影処理を行う方向は方向Ｙに限らず、方向Ｘとしてもよい。なお、判定用領域３Ｒ，３Ｌの画像データの特徴を示す情報としては、この画像データそのものであってもよい。
【００７６】
（情報読取装置のシステム制御部の機能ブロック）
図１３は、図１２に示すシステム制御部４０の機能ブロック図である。システム制御部４０は、ＲＯＭに記憶されたプログラムを実行して各部と協働することにより、媒体識別部４０Ａ、基準情報更新部４０Ｂ、及び情報読取処理部４０Ｃとして機能する。
【００７７】
媒体識別部４０Ａは、ガラス板３に情報記録媒体２が載置された状態にてガラス板３を媒体押え機構１２側と反対側（ガラス板３の下面側）から紫外光下で撮像素子８により撮像して撮像素子８から出力される撮像画像データのうちの図１１の判定用領域３Ｒ，３Ｌの画像データを取得し、当該画像データの特徴を示す情報（以下、特徴情報という）と、ＲＯＭに記憶されている上記の基準情報との類似度に基づいて、ガラス板３に載置されている情報記録媒体２がパスポート２ＡとＩＤカード２Ｂのどちらであるかを識別する第一の媒体識別処理を行う。
【００７８】
ガラス板３にＩＤカード２Ｂが載置された状態であれば、図９（Ｂ）に示すように、媒体押え機構１２とガラス板３の間には物体は存在しない。そのため、この状態における上記の特徴情報は、媒体押え機構１２とガラス板３の間に物体が存在しない状態にて得られた上記の基準情報と類似することになる。したがって、媒体識別部４０Ａは、特徴情報と基準情報との類似度が予め決められた閾値以上となる場合には、ガラス板３に載置された情報記録媒体２をＩＤカード２Ｂとして識別する。
【００７９】
一方、ガラス板３にパスポート２Ａが載置された状態であれば、図９（Ａ）に示すように、媒体押え機構１２とガラス板３の間にパスポート２Ａが存在し、判定用領域３Ｒ，３Ｌ上方の媒体押え機構１２は、ガラス板３の下面側から見てパスポート２Ａによって遮られることになる。そのため、この状態における上記の特徴情報は、媒体押え機構１２とガラス板３の間に物体が存在しない状態にて得られた上記の基準情報と大きく異なることになる。
【００８０】
図１４は、基準情報と、ガラス板３にパスポート２Ａが載置された状態に得られる特徴情報の一例を示す図である。図１４の横軸は方向Ｘの位置であり、縦軸は上述した平均濃度である。図１４においては、判定用領域３Ｌの画像データと判定用領域３Ｒの画像データとを方向Ｘに沿って左右に並べて表示している。図１４に示すように、特徴情報Ｗｓの波形と基準情報Ｗｔの波形は大きく異なる。したがって、媒体識別部４０Ａは、特徴情報と基準情報との類似度が上記の閾値未満となる場合には、ガラス板３に載置された情報記録媒体２をパスポート２Ａとして識別する。
【００８１】
なお、特徴情報と基準情報の類似度としては、特徴情報と基準情報とで相関演算を行って得られる相関係数α（０≦α≦１）や、特徴情報と基準情報の方向Ｘの位置が同じ平均濃度同士の差分の絶対値の平均値等を用いることができる。相関係数αは、その値が１に近いほど、特徴情報と基準情報の類似度が高いことを意味する。
【００８２】
基準情報更新部４０Ｂは、媒体識別部４０Ａの第一の媒体識別処理によって情報記録媒体２がＩＤカード２Ｂであると識別された場合に、この識別に用いた上記の特徴情報に基づいて、ＲＯＭに記憶されている基準情報を更新する。
【００８３】
情報読取処理部４０Ｃは、撮像素子８から出力された撮像画像データに基づいて、情報記録媒体２からの情報の読み取り処理を行う。情報の読み取り処理とは、パスポート２Ａであれば、例えば、ガラス板３の下面を撮像して撮像素子８から出力された撮像画像データから、パスポート２Ａの情報記録面２ｓａの挿入方向の端部の奥端部分にある文字を認識し、認識した文字の情報を情報読取結果として上位装置に出力する一連の処理と、この撮像画像データからパスポート２Ａの情報記録面２ｓａの部分をトリミングし、トリミング後の画像データを１８０度回転させ、回転後の画像データを、情報読取結果として上位装置に出力する一連の処理、である。トリミング後の画像データを１８０度回転させるのは、パスポート２Ａが媒体挿入部１６に挿入された状態では、顔写真の向きがＩＤカード２Ｂの顔写真の向きとは１８０度回転した状態になっている場合があるためである。
【００８４】
また、情報の読み取り処理とは、ＩＤカード２Ｂであれば、例えば、ガラス板３の下面を撮像して撮像素子８から出力された撮像画像データからＩＤカード２Ｂの部分をトリミングした画像と、ガラス板３の上面を撮像して撮像素子８から出力された撮像画像データからＩＤカード２Ｂの部分をトリミングした画像とを合成し、合成後の画像を情報読取結果として上位装置に出力する一連の処理である。
【００８５】
このように、情報読取処理部４０Ｃは、識別された情報記録媒体２がＩＤカード２Ｂである場合にはＩＤカード２Ｂに対応した画像の加工処理を行い、識別された情報記録媒体２がパスポート２Ａである場合にはパスポート２Ａに対応した画像の加工処理を行って、情報読取結果を上位装置に出力する。
【００８６】
（情報読取装置の動作）
図１５は、図１に示す情報読取装置１の動作を説明するためのフローチャートである。図１５に示す動作は、情報記録媒体２が媒体挿入部１６に挿入されたことを検知された後に開始される。情報記録媒体２が媒体挿入部１６に挿入されたことの検知は、例えば、媒体挿入部１６の開口付近に設置した挿入検知センサを用いて行う。
【００８７】
まず、システム制御部４０は、シャッタ３７を第２遮光位置３７Ｂに制御し、照明４から紫外光を照射させた状態にて、撮像素子８によりガラス板３を下面側から撮像させ、続いて、シャッタ３７を第１遮光位置３７Ａに制御し、照明５から紫外光を照射させた状態にて、撮像素子８によりガラス板３を上面側から撮像させる（ステップＳ１）。
【００８８】
次に、システム制御部４０の媒体識別部４０Ａは、ステップＳ１の紫外光下での撮像によって撮像素子８から出力された撮像画像データのうち、ガラス板３を下面側から撮像して得られた撮像画像データを取得し、この撮像画像データにおける判定用領域３Ｒの画像データ３ＧＲと、この撮像画像データにおける判定用領域３Ｌの画像データ３ＧＬと、を取得する（ステップＳ２）。
【００８９】
次に、媒体識別部４０Ａは、ステップＳ２にて取得した画像データ３ＧＲと画像データ３ＧＬに対し例えば射影処理を行うことで、画像データ３ＧＲ及び画像データ３ＧＬの特徴情報を生成する（ステップＳ３）。
【００９０】
次に、媒体識別部４０Ａは、ＲＯＭに記憶されている基準情報を読み出し（ステップＳ４）、読み出した基準情報と、ステップＳ３にて生成した特徴情報との類似度としてこれら２つの情報の相関係数αを算出する（ステップＳ５）。
【００９１】
次に、媒体識別部４０Ａは、ステップＳ５にて算出した相関係数αが閾値（ここでは例えば０．５とする）以上であるか否かを判定する（ステップＳ６）。媒体識別部４０Ａは、相関係数αが０．５以上であった場合には、ガラス板３に載置された情報記録媒体２をＩＤカード２Ｂとして識別する（ステップＳ７）。媒体識別部４０Ａは、相関係数αが０．５未満であった場合には、ガラス板３に載置された情報記録媒体２をパスポート２Ａとして識別する（ステップＳ８）。ステップＳ８の後はステップＳ１１の処理が行われる。
【００９２】
ステップＳ７にて情報記録媒体２がＩＤカード２Ｂとして識別された場合には、システム制御部４０の基準情報更新部４０Ｂが、ステップＳ３にて生成された特徴情報に基づいて、新しい基準情報を生成する（ステップＳ９）。具体的には、基準情報更新部４０Ｂは、ステップＳ３にて生成された特徴情報とステップＳ４により読み出された更新前の基準情報を、ステップＳ５にて算出された相関係数αに応じて重み付け加算することで、新しい基準情報を生成する。
【００９３】
例えば、ステップＳ３にて生成された特徴情報の方向Ｘの任意の位置における値をｖとし、ステップＳ４にて読み出された基準情報の方向Ｘの該位置における値をｔとし、該位置における新しい基準情報の値をＴとした場合に、基準情報更新部４０Ｂは、以下の式（ａ）の演算を行って、新しい基準情報の値Ｔを生成する。基準情報更新部４０Ｂは、基準情報を構成する平均濃度データの総数分、式（ａ）の演算を行うことで、新しい基準情報を生成する。
【００９４】
Ｔ＝（１．５−α）×ｔ＋（α−０．５）×ｖ    ・・・（ａ）
【００９５】
基準情報更新部４０Ｂは、ステップＳ９にて新しい基準情報を生成すると、ＲＯＭに記憶されている古い基準情報をこの新しい基準情報によって上書きして、ＲＯＭに記憶されている基準情報の更新を行う（ステップＳ１０）。
【００９６】
ステップＳ１０の後のステップＳ１１では、システム制御部４０が、ステップＳ１の撮像によって撮像素子８から出力された２つの撮像画像データを解析して、ガラス板３に載置された情報記録媒体２が情報の読み取り対象となる媒体（適正媒体という）であるかどうかを判定する。ステップＳ１の撮像は紫外光が照射された状態で行われるため、情報記録媒体２の情報記録面に紫外光に反応するインクで印刷された情報が含まれていれば、上記２つの撮像画像データからこの情報を検出することができる。
【００９７】
システム制御部４０は、この情報の検出ができなかった場合、又は、情報は検出できたが、検出できた情報の内容が所望の内容ではない場合等には、情報記録媒体２が適正媒体ではないと判定（ステップＳ１１：ＮＯ）し、処理を終了する。システム制御部４０は、この情報の検出ができてその内容が所望の内容であった場合には、情報記録媒体２が適正媒体であると判定し（ステップＳ１１：ＹＥＳ）、ステップＳ１２の処理を行う。なお、ステップＳ１の画像データから必要な情報が得られた場合、ステップＳ１１で処理を終了してもよい。
【００９８】
ステップＳ７にて情報記録媒体２がＩＤカード２Ｂとして識別されていた場合には、ステップＳ１２において、システム制御部４０は、シャッタ３７を第２遮光位置３７Ｂに制御し、照明４から赤外光を照射させた状態にて、撮像素子８によりガラス板３を下面側から撮像させ、その後、照明４から白色光を照射させた状態にて、撮像素子８によりガラス板３を下面側から撮像させる。続いて、システム制御部４０は、シャッタ３７を第１遮光位置３７Ａに制御し、照明５から赤外光を照射させた状態にて、撮像素子８によりガラス板３を上面側から撮像させ、その後、照明５から白色光を照射させた状態にて、撮像素子８によりガラス板３を上面側から撮像させる。
【００９９】
ステップＳ８にて情報記録媒体２がパスポート２Ａとして識別されていた場合には、ステップＳ１２において、システム制御部４０は、シャッタ３７を第２遮光位置３７Ｂに制御し、照明４から赤外光を照射させた状態にて、撮像素子８によりガラス板３を下面側から撮像させ、その後、照明４から白色光を照射させた状態にて、撮像素子８によりガラス板３を下面側から撮像させる。
【０１００】
ステップＳ１２の後、システム制御部４０の情報読取処理部４０Ｃは、ステップＳ１２の撮像によって撮像素子８から出力された、白色光下で得た撮像画像データと、赤外光下で得た撮像画像データとに基づいて、情報の読み取りを行い（ステップＳ１３）、その結果を上位装置に出力する。
【０１０１】
（情報読取装置の効果）
以上の情報読取装置１によれば、判定用領域３Ｒ，３Ｌと媒体押え機構１２の間に物体がない状態でこの判定用領域３Ｒ，３Ｌを撮像して得られる画像データの特徴を示す基準情報と、情報記録媒体２が載置された状態で判定用領域３Ｒ，３Ｌを撮像して得られる画像データの特徴を示す特徴情報との類似度に基づいて、パスポート２ＡとＩＤカード２Ｂのどちらがガラス板３に載置されているかが識別される。例えば、類似度が高い場合には、ガラス板３の判定用領域３Ｒ，３Ｌ上方には媒体押え機構１２以外の物体がないと判断することができるため、情報記録媒体２がＩＤカード２Ｂであると判断することが可能になる。また、類似度が低い場合には、ガラス板３の判定用領域３Ｒ，３Ｌ上方には媒体押え機構１２とは異なる物体（即ち情報記録媒体）が存在すると判断することができるため、情報記録媒体２がパスポート２Ａであると判断することが可能になる。このように、特徴情報と基準情報が類似するかどうかで情報記録媒体２を識別することで、情報記録媒体２のデザインや撮像の仕方などによらずに、情報記録媒体２の識別を行うことができる。また、例えば、ガラス板３に載置された情報記録媒体２の全体を撮像して得られる画像を解析してその情報記録媒体２の識別を行うといった複雑な処理を行うことなく、判定用領域３Ｒ，３Ｌの画像データの解析だけでこの識別が可能となる。このため、情報記録媒体２の識別を簡易に行うことができる。
【０１０２】
また、情報読取装置１は、情報記録媒体２がＩＤカード２Ｂであると識別した場合に、この識別に利用した特徴情報に基づいて、ＲＯＭの基準情報を更新する。媒体識別部４０Ａによって情報記録媒体２がＩＤカード２Ｂであると識別された場合とは、すなわち、ガラス板３の判定用領域３Ｒ，３Ｌ上方に媒体押え機構１２以外の物体がない場合である。つまり、この場合の特徴情報は、基準情報としての要件を満たすと言える。このため、この特徴情報に基づいて基準情報を更新することで、経時変化や装置周辺の環境変化などによる影響も含めた最新の基準情報を用いて更新できるので、基準情報の精度を高めることができ、情報記録媒体２の識別精度を向上させることができる。
【０１０３】
また、式（ａ）に示すように、相関係数αが高いほど、新しい基準情報の重みが強くなるように重み付け加算を行って基準情報を更新することで、基準情報の精度を向上させることができる。
【０１０４】
（情報読取装置の第一の変形例）
図１５に示した動作は、最初に紫外光を照射した状態にてガラス板３の撮像を行い、その撮像で得られる撮像画像データの解析の結果、情報記録媒体２が適正媒体であった場合に、白色光と赤外光を照射した状態にてガラス板３の撮像を行って情報の読み取りを開始するモードを想定したものである。しかし、情報記録媒体２が適正媒体であるかどうかの判断を行うことなく、情報読み取り処理を開始する別モードがあってもよい。
【０１０５】
この別モード時の情報読取装置１の動作は、図１５に示すフローチャートにおいて、ステップＳ１がステップＳ１ａに変更され、ステップＳ１１及びステップＳ１２が削除されてステップＳ１０の後にステップＳ１３が行われるものとなる。
【０１０６】
このステップＳ１ａにおいて、システム制御部４０は、シャッタ３７を第２遮光位置３７Ｂに制御し、照明４から赤外光を照射させた状態にて、撮像素子８によりガラス板３を下面側から撮像させ、その後、照明４から白色光を照射させた状態にて、撮像素子８によりガラス板３を下面側から撮像させ、その後、照明４から紫外光を照射させた状態にて、撮像素子８によりガラス板３を下面側から撮像させる。続いて、システム制御部４０は、シャッタ３７を第１遮光位置３７Ａに制御し、照明５から赤外光を照射させた状態にて、撮像素子８によりガラス板３を上面側から撮像させ、その後、照明５から白色光を照射させた状態にて、撮像素子８によりガラス板３を上面側から撮像させ、その後、照明５から紫外光を照射させた状態にて、撮像素子８によりガラス板３を上面側から撮像させる。
【０１０７】
この別モードの動作例の場合、ステップＳ３の特徴情報の生成に用いる画像データは、紫外光下の撮像で得られたものに限らず、白色光下の撮像で得られたもの又は赤外光下の撮像で得られたものを用いてもよい。白色（又は赤外）光下の撮像で得られた画像データに基づいて特徴情報が生成される場合には、ＲＯＭに記憶される基準情報を、白色（赤外）光下の撮像で得られた画像データに基づいて生成されたものとすればよい。
【０１０８】
（情報読取装置の第二の変形例）
第二の変形例の情報読取装置１では、媒体識別部４０Ａが上述した第一の媒体識別処理と、これとは別の第二の媒体識別処理とを選択的に行う。この第二の媒体識別処理を行うにあたり、ガラス板３の非重なり領域３ｂの前後方向の前側の端部には、図１６に示すように、識別用領域３Ａが設定されている。
【０１０９】
識別用領域３Ａは、パスポート２Ａの情報記録面２ｓａがガラス板３に載置された状態にて、パスポート２Ａの見開き面の境界部２ｃ側に位置するガラス板３の端部（ガラス板３の前後方向の前側の端部）における媒体押え機構１２よりも内側の部分に設定されている。
【０１１０】
ガラス板３の該端部とは、非重なり領域３ｂのうちのＩＤカード２Ｂを載置することが推奨される範囲の外側且つ前側（媒体挿入部１６の媒体挿入口側）の部分を言う。具体的には、この端部は、ガラス板３を前後方向に均等に３分割した場合の最も前側（媒体挿入部１６の媒体挿入口側）にある分割エリア、又は、ガラス板３を前後方向に均等に４分割した場合の最も前側（媒体挿入部１６の媒体挿入口側）にある分割エリア等である。識別用領域３Ａは、左右方向（方向Ｘ）に沿って延びる直線状且つ矩形状の領域であるが、形状はこれに限定されるものではない。
【０１１１】
ＩＤカード２Ｂがガラス板３における上記の推奨される範囲に載置された状態においては、識別用領域３ＡとＩＤカード２Ｂとは重ならない。一方、パスポート２Ａの情報記録面２ｓａがガラス板３に載置された状態においては、識別用領域３Ａにパスポート２Ａの情報記録面２ｓａの一部が重なる。
【０１１２】
媒体識別部４０Ａが行う第二の媒体識別処理は、撮像素子８から出力される識別用領域３Ａの画像データに基づいて識別用領域３Ａに物体が重なっているか否かを判定し、当該判定の結果に基づいて、ガラス板３に載置されている情報記録媒体２がパスポート２ＡとＩＤカード２Ｂのどちらであるかを識別する処理である。媒体識別部４０Ａが第一の媒体識別処理と第二の媒体識別処理のどちらを行うかは、例えば、上位装置からのモード設定によって決定される。
【０１１３】
（第二の変形例の情報読取装置の動作）
図１７は、第二の変形例の情報読取装置１が第二の媒体識別処理を行うときの動作を説明するためのフローチャートである。図１７に示す動作は、情報記録媒体２が媒体挿入部１６に挿入されたことを検知された後に開始される。
【０１１４】
まず、システム制御部４０は、シャッタ３７を第２遮光位置３７Ｂに制御し、照明４から赤外光を照射させた状態にて、撮像素子８によりガラス板３を下面側から撮像させ、その後、照明４から白色光を照射させた状態にて、撮像素子８によりガラス板３を下面側から撮像させ、その後、照明４から紫外光を照射させた状態にて、撮像素子８によりガラス板３を下面側から撮像させる。続いて、システム制御部４０は、シャッタ３７を第１遮光位置３７Ａに制御し、照明５から赤外光を照射させた状態にて、撮像素子８によりガラス板３を上面側から撮像させ、その後、照明５から白色光を照射させた状態にて、撮像素子８によりガラス板３を上面側から撮像させ、その後、照明５から紫外光を照射させた状態にて、撮像素子８によりガラス板３を上面側から撮像させる（ステップＳ２１）。
【０１１５】
次に、システム制御部４０は、ステップＳ２１の撮像によって撮像素子８から出力された撮像画像データのうち、白色光下又は赤外光下の撮像で得られた撮像画像データにおける識別用領域３Ａの画像データを取得する（ステップＳ２２）。識別用領域３Ａの画像データは、例えば、左右方向に並ぶ複数の画素値からなるラインデータが前後方向に複数個並ぶデータである。識別用領域３Ａの画像データは、１つのラインデータだけで構成されていてもよい。
【０１１６】
次に、システム制御部４０は、ステップＳ２２にて取得した識別用領域３Ａの画像データに基づいて、識別用領域３Ａに物体が重なっているか否かを判定する（ステップＳ２３）。
【０１１７】
識別用領域３Ａに物体が重なっていない状態においては、ステップＳ２２にて取得される識別用領域３Ａの画像データは、透明なガラス板３を撮像して得られるものとなる。このため、この画像データを構成する各画素値は低い値となる。この各画素値のうちの最大値又はこの最大値に測定誤差を考慮した値を加算した値が、例えば後述の閾値ＴＨ１として予め設定されている。この閾値ＴＨ１の情報は、システム制御部４０のＲＯＭに予め記憶されている。
【０１１８】
一方、識別用領域３Ａに物体が重なっている状態にてステップＳ２１の撮像が行われると、この物体と重なる部分は不透明となって照明４，５からの光を反射する。このため、識別用領域３Ａの画像データを構成する全ての画素値の中に、上記の閾値ＴＨ１以上となるものが存在するようになる。
【０１１９】
したがって、媒体識別部４０Ａは、図１７のステップＳ２３において、識別用領域３Ａの画像データの中に、閾値ＴＨ１以上となる画素値が所定個（例えば複数）以上となるラインデータが所定数（例えば複数）以上含まれる場合には、識別用領域３Ａに物体が重なっていると判定する。媒体識別部４０Ａは、ステップＳ２３において、識別用領域３Ａの画像データの中に、閾値ＴＨ１以上となる画素値が所定個（例えば複数）以上となるラインデータが所定数（例えば複数）以上含まれない場合には、識別用領域３Ａに物体が重なっていないと判定する。
【０１２０】
媒体識別部４０Ａは、識別用領域３Ａに物体が重なっていないと判定すると（ステップＳ２３：ＮＯ）、ガラス板３に載置された情報記録媒体２をＩＤカード２Ｂとして識別する（ステップＳ２４）。媒体識別部４０Ａは、識別用領域３Ａに物体が重なっていると判定すると（ステップＳ２３：ＹＥＳ）、ガラス板３に載置された情報記録媒体２をパスポート２Ａとして識別する（ステップＳ２５）。ステップＳ２５の後は、ステップＳ２９の処理が行われる。
【０１２１】
ステップＳ２４にて情報記録媒体２がＩＤカード２Ｂとして識別された場合には、媒体識別部４０Ａが、ステップＳ２１における紫外光下での撮像によって撮像素子８から出力された撮像画像データのうち、ガラス板３を下面側から撮像して得られた撮像画像データを取得し、この撮像画像データにおける判定用領域３Ｒ，３Ｌの画像データ３ＧＲ，３ＧＬを取得し、画像データ３ＧＲ，３ＧＬの特徴を示す特徴情報を生成する（ステップＳ２６）。
【０１２２】
次に、基準情報更新部４０Ｂは、ステップＳ２６にて生成された特徴情報に基づいて、新しい基準情報を生成する（ステップＳ２７）。具体的には、基準情報更新部４０Ｂは、ステップＳ２６にて生成された特徴情報とＲＯＭに記憶されている更新前の基準情報の平均をとって、新しい基準情報を生成する。
【０１２３】
例えば、ステップＳ２６にて生成された特徴情報の方向Ｘの任意の位置における値をｖとし、ＲＯＭに記憶されている基準情報の方向Ｘの該位置における値をｔとし、該位置における新しい基準情報の値をＴとした場合に、基準情報更新部４０Ｂは、以下の式（ｂ）の演算を行って、新しい基準情報の値Ｔを生成する。基準情報更新部４０Ｂは、基準情報を構成する平均濃度データの総数分、式（ｂ）の演算を行うことで、新しい基準情報を生成する。
【０１２４】
Ｔ＝０．５×ｔ＋０．５×ｖ    ・・・（ｂ）
【０１２５】
基準情報更新部４０Ｂは、ステップＳ２７にて新しい基準情報を生成すると、ＲＯＭに記憶されている古い基準情報をこの新しい基準情報によって上書きして、ＲＯＭに記憶されている基準情報の更新を行う（ステップＳ２８）。
【０１２６】
ステップＳ２８の後のステップＳ２９では、情報読取処理部４０Ｃが、ステップＳ２１の撮像によって撮像素子８から出力された、白色光下で得た撮像画像データと、赤外光下で得た撮像画像データとに基づいて、情報の読み取りを行い（ステップＳ２９）、その結果を上位装置に出力する。
【０１２７】
（第二の変形例の情報読取装置の効果）
以上のように、第二の変形例の情報読取装置１によれば、第一の媒体識別処理だけでなく、第二の媒体識別処理を行うことができる。このため、管理者の要望に応じて識別処理を変えることができ、柔軟な運用が可能となる。
【０１２８】
また、第二の媒体識別処理によって情報記録媒体２がＩＤカード２Ｂであることが識別された場合には、このＩＤカード２Ｂが載置されている状態にて取得される判定用領域３Ｒ，３Ｌの画像データの特徴を示す情報に基づいて、ＲＯＭの基準情報が更新される。基準情報の更新が多く行われるほど、基準情報の精度は高まっていく。このため、第二の媒体識別処理の結果を利用して基準情報を更新することで、第一の媒体識別処理が行われない期間であっても基準情報の更新が可能となり、基準情報の精度を高めることができる。
【０１２９】
なお、識別用領域３Ａの形状は、左右方向に沿って延びる直線状に限らず、例えば、非重なり領域３ｂの前側の端部に設定される正方形状又は円状等であってもよい。また、識別用領域３Ａは、単独の領域である必要はなく、左右方向に並ぶ複数の識別用領域３Ａであってもよい。これらの構成によれば、解析対象となる識別用領域３Ａの画像データのデータ量が少なくてすむため、第二の媒体識別処理の処理負荷を軽減することができる。また、識別速度を速めることができる。
【０１３０】
第二の媒体識別処理は、ステップＳ２１にてガラス板３を下面側から撮像して撮像素子８から出力された撮像画像データのうち、白色光下又は赤外光下の撮像で得られた撮像画像データの全体に基づいてパスポート２ＡとＩＤカード２Ｂの識別を行う処理としてもよい。例えば、機械学習又は深層学習等によって決められたパラメータ及びこのパラメータを用いて画像認識を行うプログラムを含む画像認識モデル（例えば、ニューラルネットワーク又はサポートベクターマシン等）に、上記の撮像画像データを適用し、この撮像画像データにＩＤカード２Ｂ又はパスポート２Ａが含まれているかを認識することで、パスポート２ＡとＩＤカード２Ｂの識別を行ってもよい。
【０１３１】
（その他の変形例）
ここまでの実施形態及びその変形例の説明では、１つの撮像素子８によってガラス板３の下面と上面を撮像可能としているが、ガラス板３の上面を撮像する撮像素子と、ガラス板３の下面を撮像する撮像素子とを個別に設けておいてもよい。
【０１３２】
ここまでの実施形態及びその変形例の説明では、ガラス板３を下面側からみたときに、判定用領域３Ｒ，３Ｌの背面に媒体押え機構１２が存在するものとしたが、媒体押え機構１２がない情報読取装置１でも本発明を適用可能である。媒体押え機構１２がない場合には、判定用領域３Ｒ，３Ｌの設定位置はそのままに、例えば、図４に示す媒体挿入部１６の上面部１５ａの判定用領域３Ｒ，３Ｌと重なる部分に、パスポート２Ａの情報記録面２ｓａにあまり多く使われない色（例えば黒色等）のシール等を貼り付けておき、このシール等を上記の部材として機能させればよい。また、押え部４１ａの下面に紫外線に反応するインクを塗布しておき、基準情報における押え部４１ａの画像がより明確になるようにすることもできる。
【０１３３】
ここまで説明してきた情報読取装置１に接続された上位装置のプロセッサがプログラムを実行することで、システム制御部４０の媒体識別部４０Ａ及び基準情報更新部４０Ｂとして機能する構成であってもよい。この場合には、このプログラムが上位装置にインストールされると、上位装置に設けられたＲＯＭに基準情報が記憶される。また、基準情報の生成は、式（ａ）、（ｂ）以外の演算によっておこなってもよい。
【０１３４】
以上説明してきたように、本明細書には以下の事項が開示されている。
（１）
第一情報記録媒体と前記第一情報記録媒体よりも小さい第二情報記録媒体とを含む情報記録媒体が挿入される媒体挿入部を有し、前記媒体挿入部に挿入された前記情報記録媒体から光学的に情報を読み取る情報読取装置であって、
前記媒体挿入部は、前記第一情報記録媒体及び前記第二情報記録媒体のいずれか一方が載置される載置部と、前記情報記録媒体の前記媒体挿入部への挿入方向と前記第二情報記録媒体の長手方向とが垂直となるように前記第二情報記録媒体が前記載置部に載置された状態にて前記第二情報記録媒体の長手方向の両端部よりも前記長手方向の外側に位置し、且つ前記挿入方向と前記第一情報記録媒体の長手方向とが垂直となるように前記第一情報記録媒体が前記載置部に載置された状態にて、前記第一情報記録媒体と重なるように配置された部材と、を有し、
前記載置部に載置された前記情報記録媒体を撮像する撮像素子と、
前記載置部における前記部材と重なる領域である判定用領域と前記部材の間に物体が存在しない状態にて前記載置部を前記部材側と反対側から前記撮像素子により撮像して前記撮像素子から出力される撮像画像データのうちの前記判定用領域の画像データの特徴を示す基準情報を予め記憶する記憶部と、
前記載置部に前記情報記録媒体が載置された状態にて前記載置部を前記部材側と反対側から前記撮像素子により撮像して前記撮像素子から出力される撮像画像データのうちの前記判定用領域の画像データを取得し、当該画像データの特徴を示す特徴情報と前記基準情報との類似度に基づいて、前記載置部に載置されている前記情報記録媒体が前記第一情報記録媒体と前記第二情報記録媒体のどちらであるかを識別する第一の媒体識別処理を行う媒体識別部と、を備える情報読取装置。
【０１３５】
（１）によれば、判定用領域と部材の間に物体がない状態でこの判定用領域を撮像して得られる画像データの特徴を示す基準情報と、情報記録媒体が載置された状態で判定用領域を撮像して得られる画像データの特徴を示す特徴情報との類似度に基づいて、第一情報記録媒体と第二情報記録媒体のどちらが載置部に載置されているかが識別される。例えば、類似度が高い場合には、載置部の判定用領域上方には上記部材以外の物体がないと判断することができるため、情報記録媒体が第二情報記録媒体であると判断することが可能になる。また、類似度が低い場合には、載置部の判定用領域上方には上記部材とは異なる物体が存在すると判断することができるため、情報記録媒体が第一情報記録媒体であると判断することが可能になる。このように、特徴情報と基準情報が類似するかどうかで情報記録媒体を識別することで、情報記録媒体のデザインや撮像の仕方などによらずに、情報記録媒体の識別を行うことができる。また、例えば、載置部に載置された情報記録媒体の全体を撮像して得られる画像を解析してその情報記録媒体の識別を行うといった複雑な処理を行うことなく、判定用領域の画像データの解析だけでこの識別が可能となる。このため、情報記録媒体の識別を簡易に行うことができる。
【０１３６】
（２）
（１）記載の情報読取装置であって、
前記媒体識別部は、前記類似度が閾値以上の場合に前記載置部に載置されている前記情報記録媒体が前記第二情報記録媒体であると識別し、前記類似度が前記閾値未満の場合に前記載置部に載置されている前記情報記録媒体が前記第一情報記録媒体であると識別する情報読取装置。
【０１３７】
（２）によれば、類似度に基づいて情報記録媒体を正確に識別することができる。
【０１３８】
（３）
（２）記載の情報読取装置であって、
前記媒体識別部によって前記情報記録媒体が前記第二情報記録媒体であると識別された場合に、前記特徴情報に基づいて、前記基準情報を更新する基準情報更新部を更に備える情報読取装置。
【０１３９】
媒体識別部によって情報記録媒体が第二情報記録媒体であると識別された場合とは、すなわち、載置部の判定用領域上方に上記部材以外の物体がない場合である。つまり、この場合の特徴情報は、基準情報としての要件を満たすと言える。このため、この特徴情報に基づいて基準情報を更新する（３）の構成によれば、基準情報の精度を高めることができ、情報記録媒体の識別精度を向上させることができる。
【０１４０】
（４）
（３）記載の情報読取装置であって、
前記基準情報更新部は、前記特徴情報と更新前の前記基準情報を前記類似度に応じて重み付け加算することで新しい前記基準情報を生成し、当該基準情報を前記記憶部に記憶することで前記更新を行う情報読取装置。
【０１４１】
（４）によれば、例えば、類似度が低いほど、元の基準情報の重みが強くなるように重み付け加算を行って基準情報を更新することで、基準情報の精度が低下するのを防ぐことができる。一方、類似度が高いほど、特徴情報の重みが強くなるように重み付け加算を行って基準情報を更新することで、基準情報の精度を向上させることができる。
【０１４２】
（５）
（１）から（４）のいずれか１つに記載の情報読取装置であって、
前記媒体挿入部の内部に配置されたガイド機構を備え、
前記載置部は、前記情報記録媒体の厚み方向から見た状態において前記ガイド機構と重なる重なり領域であって、前記挿入方向の前記媒体挿入部の開口と反対側の端部において前記挿入方向に垂直な方向に沿って延びる第一領域と、前記第一領域の当該方向の両端部から前記載置部における前記挿入方向の前記開口側に向かって延びる一対の第二領域とにより構成された重なり領域と、前記重なり領域によって囲まれた前記ガイド機構と重ならない非重なり領域と、を有し、
前記第一情報記録媒体は、前記ガイド機構と前記載置部との間に挿入され前記ガイド機構によって前記載置部に向けて押さえ付けられて前記載置部の前記重なり領域及び前記非重なり領域に載置され、
前記第二情報記録媒体は、前記載置部の前記非重なり領域に載置され、
前記ガイド機構における前記一対の第二領域の少なくとも一部と重なる部分によって前記部材が構成される情報読取装置。
【０１４３】
（５）によれば、第一情報記録媒体が載置された場合には、載置部の判定用領域が第一情報記録媒体に遮られ、第二情報記録媒体が載置された場合には、載置部の判定用領域が第二情報記録媒体に遮られない。このため、特徴情報と基準情報の類似度に基づいて、情報記録媒体の識別を精度よく行うことができる。
【０１４４】
（６）
（１）から（５）のいずれか１つに記載の情報読取装置であって、
前記媒体識別部は、前記第一の媒体識別処理と、第二の媒体識別処理とを選択的に行い、
前記第二の媒体識別処理は、前記載置部に前記情報記録媒体が載置された状態にて前記載置部を紫外光以外の光の照射下で前記撮像素子により撮像して得られる撮像画像データに基づいて、前記載置部に載置されている前記情報記録媒体が前記第一情報記録媒体と前記第二情報記録媒体のどちらであるかを識別する処理である情報読取装置。
【０１４５】
（６）によれば、第一の媒体識別処理だけでなく、第二の媒体識別処理を行うことができるため、例えば状況に応じて識別処理を変えることができ、柔軟な運用が可能となる。
【０１４６】
（７）
（６）記載の情報読取装置であって、
前記第一情報記録媒体は冊子状であり、
前記第二の媒体識別処理は、紫外光以外の前記光の照射下で前記撮像素子により撮像して得られる前記撮像画像データのうち、前記載置部に前記第一情報記録媒体の見開き面の一方の面が載置された状態にて当該第一情報記録媒体の前記見開き面の境界部側に位置する前記載置部の端部における前記部材よりも内側に設定される識別用領域の画像データを取得し、当該画像データに基づいて、前記識別用領域に物体が重なっているか否かを判定し、当該判定の結果に基づいて、前記載置部に載置されている前記情報記録媒体が前記第一情報記録媒体と前記第二情報記録媒体のどちらであるかを識別する処理である情報読取装置。
【０１４７】
（７）によれば、載置部における第一情報記録媒体の見開き面の境界部側の端部に設定された識別用領域の画像データに基づいて識別用領域に物体が重なっているか否かが判定され、その判定結果に基づいて、第一情報記録媒体と第二情報記録媒体のどちらが載置部に載置されているかを識別することができる。例えば、載置部に載置された情報記録媒体の全体を撮像して得られる画像を解析してその情報記録媒体の識別を行うといった複雑な処理を行うことなく、識別用領域の画像データの解析だけでこの識別が可能となる。このため、情報記録媒体の識別を簡易に行うことができる。
【０１４８】
（８）
（６）又は（７）記載の情報読取装置であって、
前記第二の媒体識別処理によって前記情報記録媒体が前記第二情報記録媒体であると識別された場合に、前記載置部に当該情報記録媒体が載置された状態にて前記載置部を前記部材側と反対側から紫外光の照射下で前記撮像素子により撮像して得られる撮像画像データのうちの前記判定用領域の画像データを取得し、当該画像データの特徴を示す情報に基づいて前記基準情報を更新する情報読取装置。
【０１４９】
（８）によれば、第二の媒体識別処理によって第二情報記録媒体であることが識別された場合には、この第二情報記録媒体が載置されている状態にて取得される判定用領域の画像データの特徴を示す情報に基づいて記憶部の基準情報が更新される。基準情報の更新が多く行われるほど、基準情報の精度は高まっていく。このため、第二の媒体識別処理の結果を利用して基準情報を更新することで、第一の媒体識別処理が行われない期間であっても基準情報の更新が可能となり、基準情報の精度を高めることができる。
【０１５０】
（９）
第一情報記録媒体と前記第一情報記録媒体よりも小さい第二情報記録媒体とを含む情報記録媒体が挿入される媒体挿入部を有し、前記媒体挿入部に挿入された前記情報記録媒体から光学的に情報を読み取る情報読取装置の制御方法であって、
前記媒体挿入部は、前記第一情報記録媒体及び前記第二情報記録媒体のいずれか一方が載置される載置部と、前記情報記録媒体の前記媒体挿入部への挿入方向と前記第二情報記録媒体の長手方向とが垂直となるように前記第二情報記録媒体が前記載置部に載置された状態にて前記第二情報記録媒体の長手方向の両端部よりも前記長手方向の外側に位置し、且つ前記挿入方向と前記第一情報記録媒体の長手方向とが垂直となるように前記第一情報記録媒体が前記載置部に載置された状態にて、前記第一情報記録媒体と重なるように配置された部材と、を有し、
前記情報読取装置は、前記載置部に載置された前記情報記録媒体を撮像する撮像素子と、前記載置部における前記部材と重なる領域である判定用領域と前記部材の間に物体が存在しない状態にて前記載置部を前記部材側と反対側から前記撮像素子により撮像して前記撮像素子から出力される撮像画像データのうちの前記判定用領域の画像データの特徴を示す基準情報を予め記憶する記憶部と、を有し、
前記載置部に前記情報記録媒体が載置された状態にて前記載置部を前記部材側と反対側から前記撮像素子により撮像して前記撮像素子から出力される撮像画像データのうちの前記判定用領域の画像データを取得し、当該画像データの特徴を示す特徴情報と前記基準情報との類似度に基づいて、前記載置部に載置されている前記情報記録媒体が前記第一情報記録媒体と前記第二情報記録媒体のどちらであるかを識別する情報読取装置の制御方法。
【０１５１】
（９）によれば、（１）と同様の効果を得ることができる。
【符号の説明】
【０１５２】
１  情報読取装置
２  情報記録媒体
２Ａ  パスポート
２Ｂ  ＩＤカード
３  ガラス板
３Ｒ，３Ｌ  判定用領域
８  撮像素子
１２  媒体押え機構
１６  媒体挿入部
４０  システム制御部
【図１】
2019212194.tif 000003
【図２】
2019212194.tif 000004
【図３】
2019212194.tif 000005
【図４】
2019212194.tif 000006
【図５】
2019212194.tif 000007
【図６】
2019212194.tif 000008
【図７】
2019212194.tif 000009
【図８】
2019212194.tif 000010
【図９】
2019212194.tif 000011
【図１０】
2019212194.tif 000012
【図１１】
2019212194.tif 000013
【図１２】
2019212194.tif 000014
【図１３】
2019212194.tif 000015
【図１４】
2019212194.tif 000016
【図１５】
2019212194.tif 000017
【図１６】
2019212194.tif 000018
【図１７】
2019212194.tif 000019